(57)【要約】【課題】静止画コンテンツ制作において、これらコンテンツに関連したメタデータの付与するに際し、付与する際の労力を低減することを目的とする。【解決手段】音声入力手段と、音声認識手段と、メタデータ生成手段とを具備し、上記コンテンツに関連した情報を上記音声入力手段により入力し、上記入力された音声信号を上記音声認識手段にて認識し、上記メタデータ生成手段によりメタデータに変換する。静止画コンテンツに付与されている静止画番地情報と上記メタデータとを入力し番地情報付メタデータとする番地付与手段、上記制作された静止画コンテンツおよび上記番地情報付メタデータとを記録する静止画コンテンツ・メタデータ記録手段とを備える。【選択図】  図１
2004153765.tif 000002
【特許請求の範囲】
【請求項１】
静止画コンテンツに関連するメタデータの制作装置であって、
音声入力手段と、音声認識手段と、メタデータ制作手段とを具備し、
上記静止画コンテンツに関連した情報を上記音声入力手段により入力し、上記入力された音声信号を上記音声認識手段にて認識し、認識したデータを上記メタデータ制作手段によりメタデータに変換するとともに、上記静止画コンテンツの各々の番地を上記メタデータに関連付けることを特徴とするメタデータ制作装置。
【請求項２】
静止画コンテンツに関連するメタデータの制作装置であって、
音声入力手段と音声認識手段とメタデータ制作手段と上記静止画コンテンツに関連した辞書とを具備し、
上記静止画コンテンツに関連した情報を上記音声入力手段により入力し、上記入力された音声信号を上記音声認識手段にて上記静止画コンテンツに関連した辞書に関連付けて認識し、認識したデータを上記メタデータ制作手段によりメタデータに変換するとともに、上記静止画コンテンツの各々の番地を上記メタデータに関連付けることを特徴とするメタデータ制作装置。
【請求項３】
静止画コンテンツに関連するメタデータの制作方法であって、
音声入力手段と、音声認識手段と、メタデータ制作手段とを用いて、
上記静止画コンテンツに関連した情報を上記音声入力手段により入力し、上記入力された音声信号を上記音声認識手段にて認識し、上記メタデータ制作手段によりメタデータに変換するとともに、上記静止画コンテンツの各々の番地を上記メタデータに関連付けることを特徴とするメタデータ制作方法。
【請求項４】
静止画コンテンツに関連するメタデータの制作方法であって、
音声入力手段と音声認識手段とメタデータ制作手段と上記コンテンツに関連した辞書とを用いて、
上記コンテンツに関連した情報を上記音声入力手段により入力し、上記入力された音声信号を上記音声認識手段にて上記コンテンツに関連した辞書に関連付けて認識し、上記メタデータ制作手段によりメタデータに変換するとともに、上記静止画コンテンツの各々の番地を上記メタデータに関連付けることを特徴とするメタデータ制作方法。
【発明の詳細な説明】
【０００１】
【発明の属する技術分野】
本発明は、静止画コンテンツ制作におけるメタデータ制作システム及び方法に関するものである。
【０００２】
【従来の技術】
近年、静止画コンテンツの制作において、これらコンテンツに関連したメタデータの付与することがおこなわれている。
【０００３】
しかしながら、上記メタデータの付与は、制作された静止画コンテンツのシナリオあるいはナレーション原稿をもとに、手作業でコンピュータ入力することにより制作する方法が一般的であり、相当な労力の必要な方法であった。
【０００４】
【特許文献１】
特開平９−１３０７３６号公報
【０００５】
【発明が解決しようとする課題】
本願発明は、上記従来の問題点に係る課題を解決することを目的とするものであって、静止画コンテンツの制作時あるいは、静止画コンテンツを制作した直後更には、制作時とは無関係な時刻において上記制作された静止画コンテンツを再生することによりメタデータとすべき情報を、音声入力でコンピュータに入力することによりメタデータを制作するシステム及び方法を提供することを目的とする。
【０００６】
【課題を解決するための手段】
上記課題を解決するために本願発明は、制作された静止画コンテンツの再生手段、上記再生手段で再生された静止画映像信号を表示する映像モニタ手段、上記映像モニタ手段でオペレータが確認した制作すべきメタデータ内容をオペレータの発声によりマイクで収録する音声入力手段、上記音声入力手段により入力された音声信号を認識する音声認識手段、音声認識手段で認識された音声情報をメタデータに変換することによりメタデータを生成するメタデータ生成手段、および上記静止画コンテンツと上記メタデータとを関連づけるため、上記静止画コンテンツに付与されている静止画番地情報と上記メタデータとを入力し番地情報付メタデータとする番地付与手段、上記制作された静止画コンテンツおよび上記番地情報付メタデータとを記録する静止画コンテンツ・メタデータ記録手段とを備えたものである。
【０００７】
これにより、従来キーボードで入力し、制作していたメタデータを、音声認識を用いて音声入力することにより極めて容易に制作することが可能となる。
【０００８】
【発明の実施の形態】
本発明の請求項１に係る発明は、静止画コンテンツに関連するメタデータの制作装置であって、音声入力手段と、音声認識手段と、メタデータ制作手段とを具備し、上記静止画コンテンツに関連した情報を上記音声入力手段により入力し、上記入力された音声信号を上記音声認識手段にて認識し、認識したデータを上記メタデータ制作手段によりメタデータに変換し、かつ、上記静止画コンテンツとともに上記メタデータを、記録手段を用いて記録することを特徴とするメタデータ制作装置である。
【０００９】
本発明の請求項２に係る発明は、コンテンツに関連するメタデータの制作装置であって、音声入力手段と音声認識手段とメタデータ制作手段と上記静止画コンテンツに関連した辞書とを具備し、上記静止画コンテンツに関連した情報を上記音声入力手段により入力し、上記入力された音声信号を上記音声認識手段にて上記コンテンツに関連した辞書に関連付けて認識し、かつ、上記静止画コンテンツとともに上記メタデータを、記録手段を用いて記録することを特徴とするメタデータ制作装置である。
【００１０】
本発明の請求項３に係る発明は、上記請求項１ないし上記請求項２に係る発明のメタデータ制作装置であって、上記静止画コンテンツに付与されている番地情報と上記メタデータとを入力し、番地情報付メタデータを生成する番地付与手段を備え、上記静止画コンテンツと生成された上記メタデータとを関連付けることを特徴とする請求項１または２のいずれかに記載のメタデータ制作装置である。
【００１１】
以下、本発明の実施の形態について図面を用いて説明する。
（実施の形態１）
図１は、本発明の実施の形態１によるメタデータ制作装置の構成を示すブロック図である。図１において、１はカメラ、２は静止画コンテンツ記録および番地付与・記録手段、３は静止画コンテンツ・メタデータ記録手段、４は静止画コンテンツ・メタデータ再生手段、５は静止画コンテンツ・メタデータ表示手段、６はマイク、７は音声認識手段、８はメタデータ生成手段、９は番地付与手段、１０は辞書である。
カメラ１で撮影された静止画コンテンツは、静止画コンテンツ記録および番地付与・記録手段２に供給される。ここで、上記静止画コンテンツは記録媒体（図示せず）に記録されるとともに番地が付与され、上記番地も上記記録媒体（図示せず）に記録される。なお、上記記録媒体は、半導体メモリで構成されるのが一般的であるが、半導体メモリに限定されず、たとえば、磁気メモリ、光記録媒体、光磁気記録媒体など、種々の記録媒体を用いることが可能である。ここで記録された静止画コンテンツは出力端子２０１、入力端子３０１を介して、静止画コンテンツ・メタデータ記録手段に供給される。同様に、番地情報も出力端子２０２、入力端子３０２を介して、上記静止画コンテンツ・メタデータ記録手段３に供給される。さらに上記番地情報は上記出力端子２０２、入力端子９０２を介してメタデータ番地付与手段９（後出）に供給される。
一方、上記カメラ１で撮影された静止画に関連する情報がマイク６を介して音声認識手段７に入力される。上記静止画に関連する情報は、たとえば、タイトル、撮影の日時、撮影者、撮影場所（どこ）、被撮影者（だれ）、被撮影物（なに）・・・など、撮影されたコンテンツに関連する情報である。
また、必要に応じて、音声認識用の辞書１０も、音声認識手段７に供給される。音声認識手段７で認識された、音声データはメタデータ生成手段８に供給され、メタデータあるいはタグに変換される。なお、一般には、メタデータとは、このようなタグ［タイトル、撮影の日時、撮影者、撮影場所（どこ）、被撮影者（だれ）、被撮影物（なに）・・・］の集合体を意味するものである。このようにして、生成されたメタデータあるいはタグは、静止画コンテンツ自身の内容あるいはシーンとの関係を一致させるため、メタデータへの番地付与手段７に供給される。上記メタデータへの番地付与手段７にて、出力端子２０２、入力端子９０３を介して供給された番地情報が上記メタデータに付与される。この様にして番地の付与されたメタデータは、出力端子９０３、入力端子３０３を介して、上記静止画コンテンツ・メタデータ記録手段３に供給される。
静止画コンテンツ・メタデータ記録手段３では、同一の番地の静止画コンテンツと同一の番地のメタデータとが関連付けらて記録される。
より具体的に説明するため、上記静止画コンテンツ・メタデータ記録手段３にて記録された静止画コンテンツおよびメタデータを静止画コンテンツ・メタデータ再生手段４にて再生し、静止画コンテンツ・メタデータ表示手段５にて表示された結果の一例を、図２に示す。
図２において、静止画コンテンツ・メタデータ表示手段５の画面は、たとえば静止画コンテンツの表示部５０１、番地の表示部５０２およびメタデータの表示領域５１０で構成される。メタデータの表示領域５１０は、たとえば１）タイトルの記述部５１１、２）日時の記述部５１２、３）撮影者の記述部５１３、４）撮影場所の記述部５１４、・・・・などで構成される。これら、１）タイトルの記述部５１１、２）日時の記述部５１２、３）撮影者の記述部５１３、４）撮影場所の記述部５１４、・・・・などが、上述した音声認識により生成されたメタデータである。
上述した説明では、メタデータの生成を、静止画コンテンツの撮影の事前、撮影とほぼ同時期あるいは、撮影の直後など、必ずしも、撮影された静止画コンテンツの確認を必要としなかった場合についての説明である。
次には、たとえば静止画コンテンツの後付として、メタデータの生成を行うなど、静止画コンテンツを再生し、モニタ手段でモニタした上記静止画コンテンツに対し、メタデータを生成する場合について図３を用いて説明する。なお、図１と同様の機能については、その説明を省略する。
カメラ１で撮影された静止画コンテンツは、静止画コンテンツ記録および番地付与・記録手段２に供給される。ここで、上記静止画コンテンツは記録媒体（図示せず）に記録されるとともに番地が付与され、上記番地も上記記録媒体（図示せず）に記録される。このような記録媒体（図示せず）を、静止画コンテンツ・番地再生手段１１に供給する。静止画コンテンツ・番地再生手段１１で再生された静止画コンテンツは、モニタ手段１２に供給される。同様に再生された番地情報は、出力端子１１２、入力端子９０２を介して、メタデータの番地付与手段９に供給される。マイク６に向かって、音声入力する担当者（図示せず）は、上記モニタ手段１２に映出された静止画コンテンツを確認のうえ、メタデータ生成に必要な言葉を発声する。このようにして、上記カメラ１で撮影された静止画に関連する情報がマイク６を介して音声認識手段７に入力される。上記静止画に関連する情報は、たとえば、タイトル、撮影の日時、撮影者、撮影場所（どこ）、被撮影者（だれ）、被撮影物（なに）・・・など、撮影されたコンテンツに関連する情報である。これ以降は、図１の説明と同様である。
【００１２】
なお、一般的には、音声認識には何らかの誤認識が生じる可能性がある。誤認識が生じた場合、制作されたメタデータ、タグをコンピュータ手段などの情報処理手段を用いて修正することは可能である。
【００１３】
【発明の効果】
以上説明したように発明は、静止画コンテンツに関連したメタデータの作成あるいはタグ付けを行うに当たり、音声入力による音声認識を用い、且つ、上記メタデータあるいはタグと静止画コンテンツとの番地あるいはシーンとの関連付けを行うため、従来のようなキーボード入力と比較して効率的にメタデータの作成やタグ付けを実施することができる。
【図面の簡単な説明】
【図１】本発明の実施形態１に係るメタデータ制作装置の構成を示すブロック図
【図２】本発明の静止画コンテンツ・メタデータ表示手段の一例を示す図
【図３】本発明の実施形態２に係るメタデータ制作装置の構成を示すブロック図
【符号の説明】
１  カメラ
２  静止画コンテンツ記録および番地付与手段
３  静止画コンテンツ・メタデータ記録手段
４  静止画コンテンツ・メタデータ再生手段
５  静止画コンテンツ・メタデータ表示手段
６  マイク
７  音声認識手段
８  メタデータ生成手段
９  メタデータ番地付与手段
１０    辞書
１１    静止画コンテンツ・番地再生手段
１２    モニタ手段
１１１  静止画コンテンツ出力端子
１１２  番地出力端子
２０１  静止画コンテンツ出力端子
２０２  番地出力端子
３０１  映像入力端子
３０２  番地入力端子
３０３  メタデータ・番地入力端子
５０１  静止画コンテンツ表示手段
５０２  番地表示手段
５１０  メタデータ表示領域
５１１  タイトル表示領域
５１２  日時表示領域
５１３  撮影者表示領域
５１４  場所表示領域
９０２  番地入力端子
９０３  メタデータ・番地出力端子
【図１】
2004153765.tif 000003
【図２】
2004153765.tif 000004
【図３】
2004153765.tif 000005